(57)【要約】      （修正有）【課題】高感度に湿度を監視することができ、特に尿の量および範囲を監視することができる湿度センサを提供する。【解決手段】基材１を含み、基材には被覆導線があり、少なくとも１つの湿度検出部Ｓを含み、各湿度検出部は少なくとも２つの電極２１を含み、各電極はそれぞれの被覆導線と電流が流れるように連通されており、電極の間には、乾燥の場合には導電せず、湿潤の場合には導電する電気化学媒体４が含まれている、ことを特徴とする湿度センサである。【選択図】図２
2019184584.tif 000002
【特許請求の範囲】
【請求項１】
基材を含み、基材には被覆導線があり、少なくとも１つの湿度検出部を含み、各湿度検出部は少なくとも２つの電極を含み、各電極はそれぞれの被覆導線と電流が流れるように連通されており、電極の間には、乾燥の場合には導電せず、湿潤の場合には導電する電気化学媒体が含まれている、ことを特徴とする湿度センサ。
【請求項２】
湿度検出部は複数あり、各湿度検出部Ｓは導通される場合に導通信号を出力しており、複数の湿度検出部が導通される場合には累積的な導通信号が出力されている、ことを特徴とする請求項１に記載の湿度センサ。
【請求項３】
前記複数の湿度検出部は基材の異なる位置に設けられている、ことを特徴とする請求項２に記載の湿度センサ。
【請求項４】
各被覆導線には少なくとも１つの湿度検出部Ｓの電極が接続されている、ことを特徴とする請求項１〜３のいずれか一項に記載の湿度センサ。
【請求項５】
基材は吸水性または吸湿性の材料である、ことを特徴とする請求項１〜４のいずれか一項に記載の湿度センサ。
【請求項６】
基材は均一幅のシート状の吸湿性紙であり、基材の長手方向に沿って間隔を置いて分布された湿度検出部Ｓがある、ことを特徴とする請求項１〜５のいずれか一項に記載の湿度センサ。
【請求項７】
基材は検出部および信号接続部を含み、湿度検出部は検出端に設けられており、信号入力端子は信号接続部に設けられており、検出部と信号接続部は夾角をなしており、または、検出部は信号接続部と直交している、ことを特徴とする請求項１〜６のいずれか一項に記載の湿度センサ。
【請求項８】
基材には位置決め穴が設けられており、位置決め穴は被覆導線、湿度検出部とずらされている、ことを特徴とする請求項１〜７のいずれか一項に記載の湿度センサ。
【請求項９】
基材の正面には被覆導線が設けられており、基材の背面には模様が印刷されており、模様は水にあうと発色する材料で印刷されている、ことを特徴とする請求項１〜８のいずれか一項に記載の湿度センサ。
【請求項１０】
基材が湿潤された場合、電気化学媒体を有する基材部の電気伝導性能は基材の電気伝導性能より大きい、ことを特徴とする請求項１〜９のいずれか一項に記載の湿度センサ。
【請求項１１】
基材には被覆導線を含む第１部分および化学媒体を含む第２部分が含まれ、前記第１部分は化学媒体を含まない、ことを特徴とする請求項１〜１０のいずれか一項に記載の湿度センサ。
【請求項１２】
第１部分が湿潤された場合、被覆導線の間には電流が導通されない、ことを特徴とする請求項１１に記載の湿度センサ。
【請求項１３】
第１部分および第２部分がいずれも湿潤された場合、第２部分が導通されて電流が流れる時間は、第１部分の被覆導線の間に電流が導通される時間より早い、ことを特徴とする請求項１１または１２に記載の湿度センサ。
【請求項１４】
基材には電気化学媒体を含まない部分および電気化学媒体を含む基材部があり、該基材が湿潤された場合、電気化学媒体を含まない部分の電気伝導性能は電気化学媒体を含む基材部の電気伝導性能より低い、ことを特徴とする請求項１〜１３のいずれか一項に記載の湿度センサ。
【請求項１５】
基材には電気化学媒体を含まない部分および電気化学媒体を含む基材部があり、該基材が湿潤された場合、電気化学媒体を含まない部分は導電され電流を導通させることなく、電気化学媒体を含む基材部は導電されて電流が流れる、ことを特徴とする請求項１〜１３のいずれか一項に記載の湿度センサ。
【請求項１６】
基材には電気化学媒体を含まない部分および電気化学媒体を含む基材部があり、該基材は、乾燥した場合、電気化学媒体を含む電気伝導性能が電気化学媒体を含む基材部に等しい、ことを特徴とする請求項１〜１５のいずれか一項に記載の湿度センサ。
【請求項１７】
基材は絶縁体である、ことを特徴とする請求項１〜１６のいずれか一項に記載の湿度センサ。
【請求項１８】
前記被覆層は炭素被覆層である、ことを特徴とする請求項１〜１７のいずれか一項に記載の湿度センサ。
【請求項１９】
前記被覆層は炭素被覆層であり、および／または電極の材質は炭素電極である、ことを特徴とする請求項１〜１８のいずれか一項に記載の湿度センサ。
【請求項２０】
前記電解質は少なくとも１つの極性または荷電官能基を含む親水性ポリマーを含む、ことを特徴とする請求項１〜１９のいずれか一項に記載の湿度センサ。
【発明の詳細な説明】
【技術分野】
【０００１】
本願は、出願番号が１０７１１１６７０であり、出願日が２０１８年４月２日である中国台湾の特許出願および出願番号が１０７２０４３３９であり、出願日が２０１８年４月２日である中国台湾の特許出願の優先権を主張する。また、本願は、出願番号が１０７２１０３７５であり、出願日が２０１８年７月３０日である中国台湾の特許出願の優先権も主張する。
【０００２】
本願はさらに、出願番号が２０１８１１１３５８３９０であり、出願日が２０１８年９月２８日である中国特許出願、出願番号が２０１８２１５８９４２３１であり、出願日が２０１８年９月２８日である中国特許出願、出願番号が２０１８２１５８９２９９９であり、出願日が２０１８年９月２８日である中国特許出願および出願番号が０１８２１５８６４１０９であり、出願日が２０１８年９月２８日である中国特許出願の優先権を主張する。上記全ての特許出願における優先権の主張される内容は本発明の一部として援用される。
【０００３】
本発明は、湿度センシング技術に関し、特に吸湿型湿度センシングモジュールおよび該モジュールを有する湿度センシングシールに関する。
【背景技術】
【０００４】
湿度センサは、湿度量を測定および処理されやすい電気信号に変換する機器や装置である。通常の湿度センサは、環境中の相対湿度を測定することが一般的である。一部の場合、例えば、おむつ、トイレトレーニングおむつ、失禁用製品、女性用生理用品および水着などの吸収性製品中の湿度を測定する場合、通常の湿度センサは直接適用されることができない。
【０００５】
現在、様々な水分または湿度の指示器が吸収性製品に用いられている。ＺＬ２０１１８００７５９８３．Ｘの中国特許文献には、液体排泄センサが内蔵された吸収性物品が開示され、該吸収性物品は電気絶縁背板を含み、背板の人体側には吸収コアおよび液体排泄センサを有する。背板における少なくとも１つの穴は少なくとも１つの液体排泄センサと吸収コアとを連通させ、液体排泄センサは複数の導線を有し、各導線は少なくとも１つの穴により部分的に露出される。液体排泄物は穴から吸収コアに入り、２つの導線の間の吸収コアが乾燥状態から湿潤状態へ変化する場合、液体排泄センサは電気信号を出力する。背板には複数の穴が設けられ、各穴とその他の穴は縦方向に隔てられ、そのうち１つの縦方向軸線は吸収性物品に沿って前から後の方向へ延在する。
【０００６】
吸収性物品内の湿度範囲を検出するこのような液体排泄センサには、以下の欠点を有する。
１．吸収性物品（例えば、おむつ、使い捨ておむつ、トイレトレーニングおむつなど）に内蔵されているため、吸収性物品とともに製造しなければならず、その他の吸収性物品と組み合わせることができない。
２．吸収コアを介して液体を吸収した後、湿潤した吸収コアにより液体排泄センサの導線を導通させて電気信号を出力するため、吸収コアの湿潤度が隣接する導線を導通させることができない場合、液体排泄センサは電気信号を出力することができず、該液体排泄センサの感度が低くなる。
３．液体排泄センサは金属導線を有し、金属導線をおむつ、失禁用製品などに集積しているため、金属導線が折れて利用者に傷害を与える危険性が存在し、かつ金属導線はコストが高く、人体に寄せた場合、人体の違和感が強く、快適性が低い。
【０００７】
上記に鑑みて、既存のものを改良し、より優れた湿潤検出装置またはセンサを提供する必要がある。
【発明の概要】
【発明が解決しようとする課題】
【０００８】
本発明は、任意の吸収コアと合わせて使用することができ、金属導線のない湿度センサを提供することを目的とする。
【課題を解決するための手段】
【０００９】
本発明に係る湿度センサは、絶縁体基材を含み、基材には被覆導線および湿度検出部があり、湿度検出部は少なくとも１つであり、各湿度検出部は少なくとも２つの電極を有し、各電極はそれぞれの被覆導線に接続されており、電極の間には、乾燥の場合には絶縁されており、湿潤の場合には導電する電気化学媒体がある。
【００１０】
一部の好ましい実施形態において、被覆導線は、導電性接着剤（例えば、銀導電性接着剤、カーボン導電性接着剤）または生化学印刷用インクなどを使用して印刷または塗布の方式により基材に設けられた導線である。このようにすれば、基材における電気化学媒体の箇所が湿潤されると、電極の間には電流の導通が形成されることができるため、電極に接続された導線には電流の導通が生じる。
【００１１】
一部の実施形態において、基材は吸湿性材料である。使用する場合、基材を吸収性物品の表面に固定し、湿度センサは直接人体と接触する。液体物質が現れる場合、液体は、吸湿性材料を介して、または、先に直接湿度センサにおける電気化学媒体と接触し、電気化学媒体が湿潤されることによって、電流を導通し、該部分が湿潤され、吸収性物品に吸収されていることを表す。液体により湿潤された湿度検出部の電気化学媒体は絶縁体から導体へ変化し、２つの電極は遮断から短絡へ変化し、外部へ電気信号を出力する。すなわち、該部分が湿潤されていることを表す。
【００１２】
一部の実施形態において、基材が湿潤された場合、電気化学媒体を有する基材部の電気伝導性能は基材の電気伝導性能より大きく、または、電気化学媒体を有する基材部の電流が導通する時間は基材おける被覆導線の間の電流が導通する時間より早い。
【００１３】
一部の実施形態において、基材には電気化学媒体を含まない部分および電気化学媒体を含む基材部があり、該基材が湿潤された場合、電気化学媒体を含まない部分の電気伝導性能は電気化学媒体を含む基材部の電気伝導性能より低い。
【００１４】
一部の実施形態において、基材には電気化学媒体を含まない部分および電気化学媒体を含む基材部があり、該基材が乾燥している場合、電気化学媒体を含む部分の電気伝導性能は電気化学媒体を含む基材部に等しい。
【００１５】
一部の実施形態において、基材は絶縁体である。一部の実施形態において、基材は湿潤性を有する材料である。
【００１６】
（湿度検出部）
一部の好ましい実施形態において、湿度検出部は複数あり、各湿度検出部は導通される場合に導通信号を出力し、複数の湿度検出部が導通される場合には累積的な導通信号を出力する。例えば、導通信号はブザー音であり、１つの湿度検出部のみが導通される場合、単位時間内に１回のブザー音を出力する。２つの湿度検出部が導通される場合、単位時間内に２回のブザー音を出力し、Ｎ個の湿度検出部が導通される場合、単位時間内にＮ回のブザー音を出力する。または、１つの湿度検出部が導通される場合、１単位強度のブザー音を出力し、Ｎ個の湿度検出部が導通される場合、Ｎ＊単位強度のブザー音を出力する。導通信号は光信号であってもよく、端末に伝送される警告信号などであってもよい。湿度検出部の導通数は、液体量および湿度の拡散範囲を表す。一部の実施形態において、湿度検出部は基材の異なる位置に設けられるため、異なる位置の湿潤状況を検出することができる。
【００１７】
各被覆導線は、少なくとも１つの湿度検出部の電極に接続される。複数の湿度検出部が同一の被覆導線に接続された場合、液体により湿潤されていない湿度検出部の電気化学媒体は絶縁体であり、カレント被覆導線のみに電流が流れ、液体により湿潤されていない湿度検出部の他の電極に接続された導線はカレント被覆導線とともに回路を形成しない。このため、１本の被覆導線に設けられた複数の湿度検出部であっても、信号は干渉されず、さらに基材の面積を節約することができる。
【００１８】
一部の好ましい実施形態において、各電極は導線に接続された極板を含み、電気化学媒体は２つの極板の間（電極の一部）に設けられ、極板は導電接着剤被覆層（例えば、スクリーン印刷のカーボン接着層または銀接着層など）である。湿度検出部における１つの極板は他の１つの極板内に位置し、外極板は切り欠きを有し、内極板とその被覆導線との接続部は該切り欠き内に位置する。内極板および外極板はいずれも円形を呈し、内極板の接続部および外極板の接続部はいずれも直線部である。包含するおよび包含される形式により、２つの極板の間の相対面積を増やして、湿度検出部の感度を向上させる。または、湿度検出部の２つの極板は対向する。極板に沿って櫛歯が分布され、隣接する櫛歯の間は歯溝であり、２つの電極の櫛歯は対向する。湿度検出部において、１つの電極の櫛歯は他の１つの電極の歯溝内に挿入され、隣接する櫛歯の間の部位は歯溝であり、２つの電極の間には隙間があり、電気化学媒体は電極の間の隙間を充填する。櫛歯は電極のセンシング面積を増やし、２つの電極における１対の櫛歯の間の電気化学媒体が湿潤されると、電気信号を出力することができ、湿度センシングの感度を向上させる。被覆導線の一部を極板とし、または、極板と被覆導線とが部分的に重なり合い、または、極板は被覆導線の末端に位置し、または極板は被覆導線の末端に接続される。好ましい解決手段として、２つの電極は同一層に位置する。電気化学媒体は部分的にまたは完全に電極を覆う。製造する場合、電気化学媒体が絶縁状態を呈するように、電気化学媒体溶液を湿度検出部に滴下してから乾燥させる。
【００１９】
または、各湿度検出部は１対の導電部を含み、２つの導電部の間には吸湿穴があり、吸湿穴内には電気化学媒体が充填されている。液体が吸湿穴内に入って、電気化学媒体は絶縁体から導体へ変化し、２つの導電部が導通されて電気信号を出力する。
【００２０】
各導電部はカーボン接着層および銀接着層を含み、導電部は基材の表面に塗布され、銀接着層はカーボン接着層と基材との間に介在する。導電部の吸湿穴に隣接する一端は第１の端であり、他端は第２の端であり、銀接着層の第２の端はカーボン接着層内に包まれ、銀接着層の第２の端およびカーボン接着層の第２の端はいずれも吸湿穴に露出される。銀接着層とカーボン接着層との間の隙間内には、電気化学媒体がある。または、銀接着層はカーボン接着層内に包まれている。
【００２１】
電気化学媒体は、吸湿穴に充填されている。電気化学媒体は吸湿穴に充填され、溢れ部を有し、電気化学媒体の溢れ部は２つの導電部を部分的に覆う。カーボン接着層および銀接着層はいずれも導電に関与し、カーボン接着層は銀接着層を保護する役割を果たし、銀接着層は電気信号を強化する役割を果たす。電気化学媒体は吸湿穴に充填され、吸湿穴に露出された各隙間に浸透するため、電気化学媒体と導電部との接触面積を増やし、湿度検出部Ｓの感度を大きくする。
【００２２】
（基材）
好ましい実施形態として、基材は吸湿性紙テープである。例えば、濾紙、画仙紙、草木繊維の吸収紙などのように良好な吸湿性を有し、液体が勝手に拡散しない紙材ならば、いずれも基材として用いることができる。
【００２３】
好ましい実施形態として、基材は均一幅のシート状吸湿性紙であり、基材の長手方向に沿って間隔を置いて分布される湿度検出部Ｓがある。
【００２４】
１つの実施形態として、基材には少なくとも１つの膨大部があり、膨大部には幅方向に沿って間隔を置いて設けられた湿度検出部Ｓがある。
【００２５】
１つの実施形態として、基材は検出部および信号接続部を含み、湿度検出部Ｓは検出端に設けられ、信号入力端子は信号接続部に設けられ、検出部と信号接続部とは夾角をなす。検出部は、信号接続部と直交する。基材には少なくとも１つの膨大部があり、膨大部は１つまたは複数の湿度検出部Ｓを有する。
【００２６】
基材には位置決め穴が設けられ、位置決め穴は被覆導線、湿度検出部Ｓとずらされている。使用する場合、湿度センサは、湿度センサに電流を入力可能なコネクタに接続されなければならず、位置決め穴はコネクタにマッチングされることにより湿度センサとコネクタとの間の正しい位置を決定するのに用いられる。
【００２７】
基材の正面には被覆導線が設けられ、基材の背面には模様が印刷されている。模様は水にあうと発色する材料で印刷される。基材が液体を吸収した後、模様が現れ、美しくし表示する役割を果たす。
【００２８】
（被覆導線）
好ましい実施形態として、被覆導線は複数本あり、被覆導線同士は交差しない。全ての被覆導線は同一層に位置し、被覆導線の間には交点がないため、信号干渉が発生しない。
【００２９】
各隣接する２本の被覆導線の間には、湿度検出部Ｓがある。最外側の２本の被覆導線の間には、湿度検出部Ｓがある。
【００３０】
好ましい実施形態として、被覆導線は基材の長手方向に沿って延在する。最外側の２本の導線はそれぞれ基材に平行する直線部分である。各導線は、基材に平行する平行部を有する。平行部の一端は、信号端子である。信号端子は、電流を流すためのものである。最初の１つの被覆導線から最後の１つの被覆導線まで自然数により番号付けられ、隣接する奇数番号の導線の間には湿度検出部Ｓがあり、または、隣接する偶数番号の導線の間には湿度検出部Ｓがある。
【００３１】
１つの実施形態として、被覆導線により形成される図形は少なくとも１つの膨大領域を有し、膨大領域は１つまたは複数の湿度検出部Ｓを有する。湿度検出部Ｓは膨大領域において基材の長手方向に沿って間隔を置いて設置され、または基材の幅方向に沿って間隔を置いて設置され、または長手方向に沿って間隔を置いて設置された湿度検出部Ｓもあれば、幅方向に沿って間隔を置いて設置された湿度検出部Ｓもある。膨大領域は基材において対応する膨大部があり、または基材は均一幅のシートであり、被覆導線により形成された図形のみに膨大領域を有する。膨大領域の中心には、湿度検出部Ｓが設けられている。膨大領域を設ける役割は、液体集中領域に対する湿度範囲の検出を向上させることである。
【００３２】
（接着層）
好ましい実施形態として、湿度センサは接着層を有する。接着層は、物質を湿度の検知が必要である任意の箇所に貼り付けまたは付着させることができ、例えば、接着層は粘着ラベル層である。被覆導線は、接着層と基材との間に位置する。接着層は、接着の役割を果たすだけでなく、さらに被覆導線および電気化学媒体を接着層と基材との間に密封する。使用する場合、液体は基材を透過しなければ湿度検出部Ｓに達して電気化学媒体を湿潤させることができないため、液体の流動性により基材に吸収されずに直接湿度検出部Ｓに達して電極の不適切な検知および液体量に対する不適切な判断が生じることを避ける。電気化学媒体は電極より高く、接着層は電気化学媒体および電極を覆う。
【００３３】
（離型シート本体層）
好ましい実施形態として、接着層には離型シート本体層が分離可能に貼り付けられている。離型シート本体層は、樹脂フィルムである。離型シート本体層は基材を完全に覆い、離型シート層と基材との間には自由分離部があり、接着層は基材の自由分離部以外の領域を覆う。自由分離部は、離型シート本体層を基材から分離しやすくする。
【００３４】
（湿度センサのコイル材）
湿度センサのコイル材は、複数の湿度センサを含み、湿度センサは先端と末端が接続されて長手方向に沿って順に配列され、最初の１つの湿度センサの先端は自由端であり、最後の１つの湿度センサの末端は自由端であり、湿度センサは最初の１つの湿度センサから順にコイル材に巻き取られる。
【００３５】
好ましい実施形態として、隣接する２つの湿度センサの間には区切り記号が設けられている。区切り記号は、折り目または切取線などである。
【００３６】
コイル材は心棒を含み、最初の１つの湿度センサの先端は心棒に固定される。湿度センサは、心棒を中心に収納される。最後の１つの湿度センサの末端は、固定部材を有する。固定部材は、コイル材の緩みを防止する。
【００３７】
好ましい実施形態として、コイル材における湿度検出部は、基材、被覆導線、湿度検出部Ｓおよび電気化学媒体を含む。使用する場合、１つの湿度センサを取り外し、接着またはその他の方式により湿度センサを測定対象物品に付着させる。
【００３８】
好ましい実施形態として、コイル材における湿度センサは、基材、被覆導線、湿度検出部Ｓ、電気化学媒体、接着層および離型シート本体層を含む。使用する場合、１つの湿度センサを取り外し、離型シート本体層を剥がした後、接着層により湿度センサを測定対象物品に付着させる。
【００３９】
複数の湿度センサをコイル材に収納することは、輸送、保管および収納に便利である。
【００４０】
（湿度センサのシート材）
湿度センサのコイル材は、複数の湿度センサを含み、湿度センサは先端と末端が接続されて長手方向に沿って順に配列され、最初の１つの湿度センサの先端は自由端であり、最後の１つの湿度センサの末端は自由端であり、前後に隣接する湿度センサは折り畳まれ、折り畳み箇所は２つの湿度センサの境界線である。複数の湿度センサは、１つの湿度センサの長さに折り畳まれるため、収納しやすい。
【００４１】
好ましい実施形態として、境界線は断続的な切取線であり、単一の湿度センサを取得するのに便利である。
【発明の効果】
【００４２】
本発明の利点は以下のとおりである。
１．湿度センサは独立した機器であり、いずれの吸収性物品（例えば、おむつ、使い捨ておむつ、レインコートなど）を合わせて使用することができ、適用対象に対する要求がなく、適用性が広く、且つ湿度センサは単独に製造することができる。
【００４３】
２．金属導線の代わりに被覆導線を使用し、隠れた危険性がなく、コストが低い。
【００４４】
３．基材は紙テープであり、基材は直接人体と接触し、検出の感度が高く、かつ基材は柔らかく、被覆導線は基材の違和感を増加させることなく、人体の快適性を向上させる。
【００４５】
４．被覆導線は接着層と基材との間にパッケージングされ、基材により人体と接触し、基材は被覆導線と人体を隔離し、被覆導線に入力された電流は人体を流れず、使用の安全性が高い。
【図面の簡単な説明】
【００４６】
【図１】本発明に係る湿度センサの第１実施例の平面透視図（離型シート本体層が剥離された）である。
【図２】本発明に係る湿度センサの第１実施例の湿度検出部Ｓに対する断面図である。
【図３】図１における銀導電性接着層を俯瞰する場合の平面図である。
【図４】図３における局部の部分拡大図である。
【図５】本発明に係る湿度センサの第１実施例の受信機が接続された場合の平面透視図（離型シート本体層が剥離された）である。
【図６】本発明に係る湿度センサにおける銀導電性接着層の第２実施例を俯瞰する場合の平面図である。
【図７】本発明に係る湿度センサの第３実施例の湿度検出部Ｓに対する断面図である。
【図８】本発明に係る湿度センサの第４実施例の部分拡大図である。
【図９】本発明に係る湿度センサの第５実施例の部分拡大図である。
【図１０】本発明に係る湿度センサにおける接続部と受信機内部が電気的に接続された立体分解図である。
【図１１】図１０の立体組み合わせ図である。
【図１２】本発明に係る湿度センサの第６実施例の拡大図である。
【図１３】本発明に係る湿度センサの他の１つの具体的な実施形態における湿度検出部Ｓの断面図である。
【図１４】本発明の湿度センサの他の１つの具体的な実施形態における湿度検出部Ｓの断面図である。
【発明を実施するための形態】
【００４７】
以下、本発明に関する構造またはこれらの使用される技術用語をさらに説明し、別途の説明がない限り、当該分野の一般的に使用されている一般的な用語に従って理解し解釈する。
【００４８】
（湿度検出）
湿度検出とは液体または蒸気の量を表し、液体は、尿、液体付き糞便、血液、組織液、分泌物、唾液、精製水、雨水、水蒸気凝結による水、人体体表の熱蒸気凝結による分泌物または排泄物を含むがこれらに限定されず、蒸気は、蒸発による水蒸気、湿った空気中の蒸気、人体体表の熱蒸気、固体または半固体排泄物中の蒸気を含むがこれらに限定されない。また、湿度検出とは液体の拡散範囲を表す。
【００４９】
（電気化学媒体）
電気化学媒体は乾燥した場合に導電せず、湿潤した場合に導電する物質であり、このような物質は任意の化学物質である。例えば、無機塩は乾燥した場合、その自身は導電しないが、無機塩が溶解した場合、例えば、水を溶媒とする場合、溶媒中には自由のイオンが存在し、それにより導電する。このような物質も化学反応を起こす物質である可能性があるが、例えば、これらの物質は乾燥した場合に導電しないが、溶解した場合、化学反応が発生してイオンを生成し、導電する。これらの物質は、例えば、無機塩（ＮａＣｌ、ＭｇＣｌなど）、または、少なくとも１つの極性または荷電官能基を含有する親水性ポリマーなどであってもよいがこれらに限定されず、電気化学媒体４は能動的吸湿性を有する。ポリマーの主鎖または側鎖には常に親水性官能基が含まれ、ＣＯＮＨ２−、−ＯＨ、−ＣＯＮＨ、−ＣＯＯＨ、−ＳＯ３Ｈ、−ＮＨ２を含むがこれらに限定されない。例えば、アクリル酸系はアクリル酸、アクリルアミドおよびポリエチレンなど並びに変性または上記ポリマーの前駆体のそれぞれの共重合による共重合体を含むがこれらに限定されない。アミン機能性ポリマーは、アリルアミン、エチレンイミン、エノールおよびその主鎖または側鎖にアミノ基を含有するその他のポリマーを含むがこれらに限定されない。
【００５０】
例えば、これらの尿または血液中の血糖を測定する一部の試薬は、尿または血液と接触する場合、尿または血液中のある１類の分析対象物質と化学反応を起こして、導電物質を生成する。
【００５１】
（信号システム）
本湿度センサは信号システムと組み合わせて使用しなければならないことが多く、液体で湿度センサが湿潤される場合、ユーザーを指示する。例えば、一方、信号システムは湿度センサが液体を検出した場合に信号を発するように設計されている。しかし、本湿度センサは従来の信号システムにマッチングされることができ、湿度センサの構造には信号システムの構造、検出手段が含まれなくてもよい。一方、本発明は、その他の部材、例えば、使い捨ておむつなどの製品と組み合わせられ、尿が生成するか否かを検出することができる。特に、排尿を自己制御することができない人に対する看護に対して、本発明の湿度センサを使用する使い捨ておむつの場合、尿が生成すると、信号警告により、看護職員に尿が生成していることを指導させることにより、適時に処理することができる。本発明のセンサは使い捨ておむつと組み合わせることができるため、使い捨ておむつとバインディングする必要なく、使用しやすく、異なる場所および使用環境に適することもできる。
【００５２】
（湿度センサ）
本発明の湿度センサは、独立して製造することができ、いずれの測定対象部品に合わせられ、金属導線がなく、能動的に吸湿可能であり、湿潤された後に液体量および／または湿度範囲を認識し、直接人体と接触可能なセンサである。
【００５３】
図１、３、５、６、８、９、１２に示すように、湿度センサは、基材を含み、基材には被覆導線および湿度検出部Ｓがあり、湿度検出部Ｓは少なくとも１つであり、各湿度検出部Ｓは少なくとも２つの電極を有し、各電極はそれぞれの被覆導線に接続され、電極の間には、乾燥の場合には絶縁、湿潤の場合には導電する電気化学媒体がある。被覆導線は導電性接着剤（例えば、銀導電性接着剤、カーボン導電性接着剤）または生化学的な印刷用インクなどを使用して印刷または塗布の方式で基材に設けられた導線である。
【００５４】
使用する場合、基材を吸収性物品の表面に固定し、湿度センサは直接人体と接触し、液体物質が現れる場合、液体はまず直接湿度センサと接触し、さらに吸収性物品により吸収される。液体により湿潤された湿度検出部Ｓの電気化学媒体は絶縁体から導体へ変化し、２つの電極は遮断から短絡へ変化し、外部へ電気信号を出力する。
【００５５】
一部の形態において、基材は絶縁のものであるが吸水性を有する材質であってもよく、または基材は絶縁のものであるが、吸水性を有しない。基材が絶縁のものであるが吸水性を有しない場合、湿度検出部の電気化学媒体が乾燥したものであれば、導電しないが、一般的に液体により湿潤された場合、液体が存在するため、乾燥した電気化学媒体または部分的な電気化学媒体に電気化学溶液を形成させることにより、導電させる。
【００５６】
ここで、液体はいずれの水分子を有する溶液、例えば、直接電気化学媒体と接触する尿、唾液などであってもよい。基材は絶縁のものであるが吸水性を有する材質であってもよく、その場合、電極は基材に配置され、２つの電極の間には隙間を有するが接触せず、基質には液体状態の電気化学媒体が滴らせ、塗布され、それから乾燥される。乾燥の場合、電気化学媒体は導電しないため、２つの電極の間には電流が形成されない。基材に液体が吸収された場合、同時に電気化学媒体を湿潤し、乾燥した電気化学媒体を湿潤したものに変化または部分的な電気化学媒体を湿潤したものに変化させ、湿潤した部分にイオンを形成し、電極の間に電流が発生する。
【００５７】
（湿度検出部Ｓ）
一部の実施例において、図１、３、５、６、８、９、１２、１３および１４に示すように、湿度検出部は１つまたは複数の湿度センシングユニットＳまたはＴを含む。各湿度検出部Ｓは導通される場合に導通信号を出力し、複数の湿度検出部Ｓは導通される場合に累積的な導通信号を出力する。例えば、導通信号はブザー音であり、１つの湿度検出部Ｓのみが導通される場合、単位時間内に１回ブザー音を出力する。２つの湿度検出部Ｓが導通される場合、単位時間内に２回ブザー音を出力し、Ｎ個の湿度検出部Ｓが導通される場合、単位時間内にＮ回ブザー音を出力する。または、１つの湿度検出部Ｓが導通される場合、１単位強度のブザー音を出力し、Ｎ個の湿度検出部が導通される場合、Ｎ＊単位強度のブザー音を出力する。導通信号は光信号であってもよく、端末に伝送された警告信号などであってもよい。湿度検出部Ｓの導通数は液体量および湿度拡散範囲を表す。警報信号は電気的接続構造により認識して出力され、または警報信号は電気的接続構造により端末に伝送され、端末により認識して出力する。
【００５８】
各被覆導線は少なくとも１つの湿度検出部Ｓの電極に接続される。複数の湿度検出部Ｓが同一の被覆導線に接続された場合、液体に湿潤されていない湿度検出部Ｓの電気化学媒体は絶縁体であり、カレント被覆導線のみに電流が流れる場合、液体に湿潤されていない湿度検出部Ｓの別の電極に接続された導線はカレント被覆導線と回路を形成することがないため、１本の被覆導線に複数の湿度検出部Ｓを設けても信号干渉が発生せず、さらに基材の面積を節約することもできる。
【００５９】
一部の実施例において、各電極は導線に接続された極板を含み、電気化学媒体は２つの極板の間に設けられ、極板は導電接着剤被覆層（例えば、スクリーン印刷のカーボン接着層および銀接着層など）である。図４、図６および図８に示すように、湿度検出部Ｓのうち１つの極板は他の１つの極板内に位置し、外極板は切り欠きを有し、内極板とその被覆導線の接続箇所は該切り欠き内に位置する。内極板と外極板はいずれも円形を呈し、内極板の接続部および外極板の接続部はいずれも直線性である。包含するおよび包含される形式で、２つの極板の間の相対面積を大きくして、湿度検出部Ｓの感度を向上させる。
【００６０】
または、図４、６、９、１２、１３および１４に示すように、湿度検出部Ｓの２つの極板は対向する。極板に沿って櫛歯が分布され、隣接する櫛歯の間は歯溝であり、２つの電極の櫛歯は対向する。湿度検出部Ｓにおいて、そのうち１つの電極の櫛歯は他の１つの電極の歯溝に挿入され、隣接する櫛歯の間の部位は歯溝であり、２つの電極の間には隙間があり、電気化学媒体は電極の間の隙間に充填される。櫛歯は電極のセンシング面積を大きくし、２つの電極における１対の櫛歯の間の電気化学媒体が湿潤されれば、電気信号を出力することができ、湿度センシングの感度を向上させる。被覆導線の一部を極板とし、または、極板と被覆導線が部分的に重なり、または、極板は被覆導線の末端に位置し、または極板は被覆導線の末端に接続される。
【００６１】
一部の実施例において、２つの電極は同一層に位置する。電気化学媒体は部分的にまたは完全に電極を覆う。製造する場合、電気化学媒体が絶縁状態を呈するように、電気化学媒体の溶液を湿度検出部Ｓに滴下し、さらに乾燥させる。
【００６２】
また、図２および図７に示すように、各湿度検出部Ｓは１対の導電部を含み、２つの導電部の間には吸湿穴があり、吸湿穴内には電気化学媒体が充填されている。液体が吸湿穴に入り、電気化学媒体は絶縁体から導体へ変化し、２つの導電部は導通され電気信号を出力する。
【００６３】
各導電部はカーボン接着層および銀接着層を含み、導電部は基材の表面に塗布され、銀接着層はカーボン接着層と基材との間に位置する。導電部の吸湿穴に隣接する一端は第１端であり、他端は第２端であり、銀接着層の第２端はカーボン接着層内に包まれ、銀接着層の第２端およびカーボン接着層の第２端はいずれも吸湿穴に露出される。図２に示すように、銀接着層とカーボン接着層の間の隙間内には電気化学媒体がある。または、図７に示すように、銀接着層はカーボン接着層内に包まれている。
【００６４】
電気化学媒体は吸湿穴に充填される。電気化学媒体は吸湿穴に充填され、溢れ部を有し、電気化学媒体の溢れ部は２つの導電部を部分的に覆う。カーボン接着層および銀接着層はいずれも導電に関与し、カーボン接着層は銀接着層を保護する役割を果たし、銀接着層は電気信号を強化する役割を果たす。電気化学媒体は吸湿穴に充填され、吸湿穴に露出された各隙間に浸透し、それにより電気化学媒体と導電部の接触面積を大きくし、湿度検出部Ｓの感度を向上させる。
【００６５】
（基材）
基材は被覆導線の担体であり、基材は吸水性および吸湿性を有する。液体または蒸気はまず基材内に浸透し、電気化学媒体は湿潤された後に電気化学反応を起こし、相応する被覆導線および湿潤された湿度検出部から電気信号を出力する。基材は乾燥した場合はは絶縁体であり、基材は液体または蒸気を吸収した後、湿度が不十分で電気化学媒体を電気化学反応させることができない場合、被覆導線が電気信号を出力しても、該電気信号を警報信号として出力することができない。基材により吸収された液体または水分は被覆導線同士を湿潤させるだけで、電気化学媒体は依然として乾燥状態または電気化学媒体の湿度が不十分で電気化学反応させることが出来ない場合、被覆導線の間に電気信号が出力されても、湿度検出部で電気化学反応して出力された電気信号を干渉することが出来ない。
【００６６】
ここで、基材は少なくとも２つの部分を有し、そのうちの一部には電気化学媒体が処理されており、他の部分は電気化学媒体を有しない。処理方式は電気化学媒体の溶液を基質に滴下してもよい。通常、吸水性を有するいずれの基質も本発明の基材として使用することができ、例えば、吸水性を有する濾紙、ガラス繊維、綿花、これらの吸湿性または吸水性はいずれも毛管作用による水の吸収または貯留である。このように、基材に電気化学媒体により処理された箇所および電気化学媒体により処理されていない箇所が形成されている。基材が吸水性を有する場合、湿潤された箇所は電気化学媒体により処理されていない可能性があるが、導電被覆が通過する場合、電気化学媒体により処理された箇所は湿潤されず、その場合に導電被覆が通過する箇所は湿潤されるが、電流導通を形成しない。逆に、電気化学媒体により処理された箇所が湿潤された後だけ、導電被覆が接続された電極の間に電流が発生する可能性があり、それにより導電される。
【００６７】
ここでいう「電流導通」とはいずれの電子移動を絶対に形成しないものではなく、相対的な概念であり、基層材料がどのような材料であるかに関わらず、基層の異なる位置に電気化学媒体が処理されており、電気化学媒体と電極は接続または接触の状態であり、電極は被覆導線に接続され、基層の異なる位置に電気化学媒体が設置されている場合、各箇所の電気化学媒体と電極は接続または接触の状態であり、各箇所の電極は被覆導線に接続され、電流回路が提供できる構造を提供する。この場合、基層が乾燥している場合、電気化学的に接触の２本の電極の間や、電線とする導線被覆の間（一般的には２本）にかかわらず、電流が導通されない。しかしながら、基層が湿潤している場合、湿潤した箇所は制御されないことが多く、以下のような場合がある可能性がある。電気化学的に設置された箇所が湿潤され、電線とする導電被覆が設置された位置は湿潤されず、または、電気化学的に設置された箇所および電線とする導電被覆が設置された位置は同時に湿潤され、または、電線とする導電被覆が設置された位置はまず湿潤され（第１の位置）、それから第１の位置からの液体は電気化学的に設置された箇所に入りまたは流れ込まれまたは導入され、電気化学的に処理された箇所が湿潤され、この場合、時間の前後が存在する。以上のいずれの場合に関わらず、いずれも必要であるだけで、または電気化学的に設置された箇所が湿潤された後、電流が導通するため、信号を発して予め設置されたある電気化学的な位置が湿潤されたことを指示する。また、下記のように設置することも可能である。電気化学的に処理された箇所または位置が湿潤された液体がどこから来るかにかかわらず（例えば、一部は体から発生し、または基層におけるその他の箇所から発生し、例えば、電気化学媒体に処理されていない箇所）、電気化学的に設置された箇所が湿潤された後、電流が導通するため、信号を発して予め設置されたある電気化学的な位置が湿潤されていることを指示する。その他の箇所（電気化学媒体により処理された箇所を除く）は、湿潤されても、電流導通が発生せず、それにより信号を発して湿潤または液体が発生していることを指示することがない。
【００６８】
実際に、湿潤の箇所をより好ましく検出し湿潤の信号を正確に発するために、いつも被覆導線の間が湿潤した後に電流導通を形成して湿潤信号を発することを希望しないが、そうであれば、試験が不正確となる。そのため、液体は任意の２本の被覆導線の間の領域を湿潤させただけで、湿度検出部（該湿度検出部は電気化学媒体により処理されている）に拡散されず、被覆導線の間に電気信号が現れ、該電気信号は電気的な接続構造により湿度警報信号として認識されないと考えられる。例えば、電気信号が非常に弱くまたはさえもない場合、電気的な接続構造により認識されることができない。または、基層材料を選択し、液体がいずれか２本の被覆導線の間の領域だけを湿潤させ、被覆導線の間に電子の移動がない場合であっても、電流は導通されず、例えば、基層は絶縁体である。
【００６９】
または、湿度警報信号とする電気信号は強度範囲（）を有し、電気的な接続構造は該強度範囲内の電気信号だけを湿度警報信号と認識し、被覆導線の間の電気信号が湿度警報信号の強度下限より低く、または湿度警報信号の強度上限より高い場合、電気的な接続構造は強度範囲以外の電気信号を認識しない。例えば、基材には電気化学媒体により処理された箇所および電気化学媒体に処理されない箇所があるため、理論的に、このような異なる領域が同じ湿潤程度である場合、現れる導電性は異なることが多い。このような導電性の電流の大きさは異なり、電気信号を電流の大きさに基づいて設けることができ、例えば、電気化学媒体により予め設置された箇所が湿潤された後、電流は一定の数値範囲を有し、電気化学媒体により予め設置されていない箇所が湿潤された後も、電流範囲を有し、この２つの電流範囲は異なり、重複することがない。一般的に、電気化学媒体により処理された箇所の導電性能は電気化学媒体により処理されていない箇所より大きく、導電被覆は電気化学媒体を有していない箇所を通過する可能性があり、電気化学媒体を有する箇所（湿度検出部が形成されている）を通過する可能性もあるため、この場合、導線の間に電圧が印加された場合、電気化学媒体により処理された箇所に形成された電流は電気化学媒体により処理されていない箇所より大きく、電気化学媒体の電流範囲および電気化学媒体により処理されていない電流範囲を設定することができ、それにより電流を選択的に認識して湿潤された箇所と位置および程度を表すことができる。例えば、電気化学媒体により処理された電流範囲は０．１〜５Ａであり、電気化学媒体により処理されていない電流範囲は０．１より小さい。この場合、電気化学媒体により処理されていない部分が湿潤され、電流も生成するが、警報は発生せず、逆に、２つの導線の間の電流が０．１Ａより大きい場合、電気化学媒体により処理された箇所が湿潤されたと考えられ、警報が発生するため、湿潤されたと表示される。
【００７０】
一部の実施例において、基材は吸湿性の紙テープである。例えば、濾紙、画仙紙、草木繊維の吸収紙などの良好な吸湿性を有し、液体が任意に拡散しない紙材であればいずれも基材として用いることができる。
【００７１】
一部の実施例において、図１２に示すように、基材は均一幅のシート状吸湿性紙であり、湿度検出部Ｓは基材の長手方向に沿って間隔を置いて分布される。Ｓ部の電極板は任意に配置されてもよく、各２つの電極板の間には接触することなく一定の距離があり、電極板は電気化学媒体により処理され、それから乾燥処理される。電気化学媒体により処理されていないそれらの部分は、例えば、図１２の９８９および９８１に示された箇所にも導電被覆が通過するが、９８９および９８１の箇所が湿潤されたとしても、導電被覆に回路を形成させることなく、そうすると電流が発生せず、信号も発生しない。Ｓ箇所が湿潤されてからでなければ回路も形成されず、それにより信号を生成する。これは相対的な状態に過ぎず、上記のように、電気化学媒体により処理された箇所と電気化学媒体により処理されていない箇所の導電性能は異なるため、異なる電流または電圧を発生することができ、装置に区別させてもよく、例えば、電気化学媒体により処理された部分により回路を形成させなければ信号の警告を行うことができ、逆に電気化学媒体により処理されていない部分は導通されても信号の警告を行わない。
【００７２】
１つの実施形態として、図１、３、５、６、８、９に示すように、基材には少なくとも１つの膨大部があり、膨大部には幅方向に沿って間隔を置いて設けられた湿度検出部Ｓがある。
【００７３】
好ましく、基材はそれらの吸湿性がそれほどよくない材質を選択してもよく、吸湿性を有しなくてもよいが、例えば、プラスチック薄片であってもよいが、電気化学媒体により処理された箇所が吸湿性を有すればよい。電気化学媒体により処理された箇所には２つの電極が配置されているからである。該電気化学媒体は水分子と接触すると、部分的または全体的に電気化学溶液を形成して、導電させる。
【００７４】
１つの実施形態として、基材は検出部および信号接続部を含み、湿度検出部Ｓは検出端に設けられ、信号入力端子は信号接続部に設けられ、検出部と信号接続部は交角をなす。検出部は信号接続部と直交する。基材には少なくとも１つの膨大部があり、膨大部は１つまたは複数の湿度検出部Ｓを有する。
【００７５】
基材には位置決め穴が設けられ、位置決め穴は被覆導線、湿度検出部Ｓとずれている。使用する場合、湿度センサは湿度センサに電流を入力可能なコネクタに接続されなければならず、位置決め穴はコネクタにマッチングして湿度センサとコネクタの間の正しい位置を決定するのに用いられる。
【００７６】
基材の正面には被覆導線が設けられ、基材の背面には模様が印刷されている。模様は水に会うと発色する材料で印刷されている。基材が液体を吸収した後、模様が現れ、外観が美しく指示の役割を果たす。
【００７７】
（被覆導線）
一部の実施例において、図１、３、５、６、８、９、１２に示すように、被覆導線は複数本あり、被覆導線同士は交差しない。全ての被覆導線は同一層に位置し、被覆導線の間には交点がないため、信号干渉が発生することがない。
【００７８】
それぞれの隣接する２本の被覆導線の間には湿度検出部Ｓがある。最外側の２本の電線の間には湿度検出部Ｓがある。
【００７９】
一部の実施例において、図１２に示すように、被覆導線は基材の長手方向に沿って延在する。最外側の２本の導線はそれぞれ基材に平行である直線部分である。各１本の導線は基材に平行である平行部を有する。平行部の一端は信号端子である。信号端子を介して電流が流れ込む。最初の１つの被覆導線から最後の１つの被覆導線まで自然数で番号付けられ、隣接する奇数番号の導線の間には湿度検出部Ｓがあり、または、隣接する偶数番号の導線の間には湿度検出部Ｓがある。このように、基材面積に対する利用率は最も高く、各導線を効果的に利用して、最も多い湿度検出部Ｓを取得し、湿度検出範囲を広げる。
【００８０】
１つの実施形態として、図１、３、５、６、８および９に示すように、被覆導線により形成された図形は少なくとも１つの膨大領域を有し、膨大領域は１つまたは複数の湿度検出部Ｓを有する。湿度検出部Ｓは膨大領域において基材の長手方向に沿って間隔を置いて設置され、または基材の幅方向に沿って間隔を置いて設置され、または長手方向に沿って間隔を置いて設置された湿度検出部Ｓもあり、幅方向に沿って間隔を置いて設置された湿度検出部Ｓもある。膨大領域は基材において対応する膨大部があり、または基材は均一幅のシートであり、被覆導線により形成された図形のみに膨大領域がある。膨大領域の中心には湿度検出部Ｓが設けられている。膨大領域を設ける役割は、液体集中領域の湿度範囲に対する検出を向上させることである。
【００８１】
（接着層）
一部の実施例において、図２および図７に示すように、湿度センサは接着層を有する。接着層は物質を任意の湿度の検知が必要である箇所に貼り付けまたは付着させることができ、例えば、接着層は粘着ラベル層である。被覆導線は接着層と基材との間に位置する。接着層は接着の役割を果たすだけでなく、被覆導線と電気化学媒体を接着層と基材との間に密封させる。使用する場合、液体は基材を通過しなければ湿度検出部Ｓに到達して電気化学媒体を湿潤させることができず、液体の流動性のため基材に吸収されず直接湿度検出部Ｓに到達して電極の不適切な検知および液体量の不適切な判断を発生させることを避ける。電気化学媒体は電極より高く、接着層は電気化学媒体および電極を覆う。
【００８２】
（離型シート本体層）
一部の実施例において、図２および図７に示すように、接着層には離型シート本体層が分離可能に貼り付けられている。離型シート本体層は樹脂フィルムである。離型シート本体層は基材を完全に覆い、離型シート層と基材の間には自由分離部があり、接着層は基材の自由分離部以外の領域を覆う。自由分離部は離型シート本体層を基材から分離するのに便利である。
【００８３】
（湿度センサのコイル材）
湿度センサのコイル材は、複数の湿度センサを含み、湿度センサは先端と末端が接続された長手方向に沿って順に配列され、最初の１つの湿度センサの先端は自由端であり、最後の１つの湿度センサの末端は自由端であり、湿度センサは最初の１つの湿度センサから順にコイル材に巻き取られる。
【００８４】
一部の実施例において、隣接する２つの湿度センサの間には区切り記号が設けられている。区切り記号は折り目または切取線などである。
【００８５】
コイル材は心棒を含み、最初の１つの湿度センサの先端は心棒に固定されている。湿度センサは心棒を中心に収納される。最後の１つの湿度センサの末端は固定部材を有する。固定部材はコイル材の緩みを防止する。
【００８６】
一部の実施例において、コイル材における湿度検出部は、基材、被覆導線、湿度検出部Ｓおよび電気化学媒体を含む。使用する場合、１つの湿度センサを取り外し、接着またはその他の方式で湿度センサを測定対象物品に付着させる。
【００８７】
一部の実施例において、コイル材における湿度検出部は、基材、被覆導線、湿度検出部Ｓ、電気化学媒体、接着層および離型シート本体層を含む。使用する場合、１つの湿度センサを取り外し、離型シート本体層を剥がした後、接着層で湿度センサを測定対象物品に付着させる。
【００８８】
複数の湿度センサをコイルに収納することは、輸送、保管および収納に便利である。
【００８９】
（湿度センサのシート材）
湿度センサのシート材は、複数の湿度センサを含み、湿度センサは先端と末端が接続された長手方向に沿って順に配列され、最初の１つの湿度センサの先端は自由端であり、最後の１つの湿度センサの末端は自由端であり、前後隣接する湿度センサは折り畳まれ、折り畳まれた箇所は２つの湿度センサの境界線である。複数の湿度センサは収納しやすく１つの湿度センサの長さに折り畳まれている。
【００９０】
一部の実施例において、境界線は断続的に接続された切取線であり、単一の湿度センサを取得するのに便利である。
【００９１】
〔実施例１〕
本発明の湿度検出部Ｓの湿度センサは、図１、図２、図３、図４および図５に示すように、本発明の湿度センサの第１の実施例であり、本発明の湿度センサは、図１、図２、図３、図４および図５に示すように、本発明の湿度センサ１００の第１の実施例は、基材１および複数の湿度検出部ＳＴ１を含む。基材１は互いに対向する正面１１および背面１２を含み、各湿度検出部ＳＴ１は互いに基材１の正面１１に並設される。
【００９２】
各湿度検出部ＳＴ１は銀導電性接着層２、カーボン接着層３ｂおよび電気化学媒体４を含む。
【００９３】
銀導電性接着層２は互いに隔てられた２つの導電部２１を含み、銀導電性接着層２の２つの導電部２１の間が吸湿穴２１１で互いに隔てられ一時的に導通することができないように、２つの導電部２１の間には吸湿穴２１１が形成されている。
【００９４】
カーボン接着層３ｂは銀導電性接着層２に覆われ、吸湿穴２１１と互いに組み合わせられた１つの吸湿穴Ｓが開設されている。本発明は吸湿穴２１１と互いに組み合わせられた構造を限定せず、本実施例では直線で吸湿穴２１１に連通されるとともに形成された吸湿穴Ｓを例として説明する。ここで、導電性を有するカーボン接着層３ｂは銀導電性接着層２を酸化しないように保護することができる。
【００９５】
電気化学媒体４を２つの導電部２１の間に接続させ対応するようにカーボン接着層３ｂに接続されるように、電気化学媒体４を対応するように吸湿穴Ｓ内に充填し、この場合にまだ吸湿されてないため、導通せず、説明は以下のとおりである。
【００９６】
電気化学媒体４は、湿潤されると化学変化を起こして極めて好ましい導電物質を生成する材料であり、本実施例においては少なくとも１つの極性または荷電官能基を含有する親水性ポリマーを例として説明し、電気化学媒体４に能動的な吸湿性を持たせる。ポリマーの主鎖または側鎖には常に親水性官能基が含まれ、ＣＯＮＨ２−、−ＯＨ、−ＣＯＮＨ、−ＣＯＯＨ、−ＳＯ３Ｈ、−ＮＨ２を含むがこれらに限定されない。例えば、アクリル酸系はアクリル酸、アクリルアミドおよびポリエチレンなど並びに変性または上記ポリマーの前駆体が互いに共重合されて形成された共重合体を含むがこれらに限定されない。アミン機能性ポリマーは、アリルアミン、エチレンイミン、エノールおよびその主鎖または側鎖にアミノ基を含有するその他のポリマーを含むがこれらに限定されない。
【００９７】
要するに、本発明の湿度検出部ＳＴ１が液体（図示せず）と接触した場合、電気化学媒体４は吸湿穴Ｓを介して液体を吸着し能動的に吸湿し、吸湿後に化学変化を起こして極めて好ましい導電物質を生成し、さらに２つの導電部２１の間に導通されカーボン接着層３ｂを導通し、導通された銀導電性接着層２に１本の導通回路を形成させる。この場合、この導通回路の２つの導電部２１の間に受信機７（図５を参照）が電気的に接続された場合、この受信機７は導通され、声、光を発しまたは声および光の警告または警告信号を発し、引いては、例えば、スマート型携帯電話に無線伝送して通知、警告することができる。
【００９８】
本発明は、湿度センサを検出対象物品に付着しやすくするために、基材、被覆導線に接着層５および離型シート本体層６を設けることができる。また、本発明は湿度センサ１００の形状を限定せず、本実施例において垂直バー状（図１または図３を参照）を例として説明する。
【００９９】
基材１は吸水特性を有しその他の構造層を載置するいずれの対象であってもよく、本実施例において草木繊維の吸収紙を例として説明する。
【０１００】
各湿度検出部ＳＴ１の銀導電性接着層２は互いに並んで基材１の正面１１に重ね接続され、各吸湿穴２１１を基材１に連通させる。説明すべきこと（図１および図３に示すように）は、いわゆる２つの導電部２１は、銀導電性接着層２自体以外に主線（または幹線という）形態で２つの導電部２１を表示し、当然ながら、支線形態で２つの導電部２１を表示することができ、本発明はそれを限定せず、本実施例では主線と支線を組み合わせて使用することを例として説明し、図示のように、銀導電性接着層２はさらに複数対の導電部２１を含む。
【０１０１】
カーボン接着層３ｂは全ての湿度検出部ＳＴ１の銀導電性接着層２を被覆し、各湿度検出部ＳＴ１に対応する数の吸湿穴２１１が開設され、さらに共同複数の吸湿穴Ｓを形成する。
【０１０２】
電気化学媒体４は対応するように各湿度検出部ＳＴ１の吸湿穴Ｓ内に充填され、それぞれ各対の導電部２１の間に接続される。
【０１０３】
接着層５はカーボン接着層３ｂに設置され、湿度センサ１００をいずれの湿度の検知が必要である箇所に貼り付けまたは付着させることができ、例えば、レインコート、おむつまたは水漏れまたは雨漏りがあるか否かを知ろうとする箇所に貼り付け、付着することができる。接着層５とカーボン接着層３ｂは共同で上記のように開設されている。また、接着層５は粘着性を有するいずれのものであってもよく、本実施例ではヒドロゲルを例として説明する。
【０１０４】
離型シート本体層６は接着層５に分離可能に貼り付け、付着され、本発明の湿度センサ１００を貼り付けようとする場合にのみ、離型シート本体層６を剥がす。説明すべきことは、接着層５の外面に割れ目が形成されるように、電気化学媒体４の充填された後の高さは、カーボン接着層３ｂより高く（または等しく）接着層５（図２を参照）より低いことが好ましい。
【０１０５】
また、上記銀導電性接着層２は様々な形状であってもよく、本実施例では設計された模様層（部材符号を図示せず）を例として説明し、そのうちいずれかの数の模様層を互いに間隔を置いて並ばせてそれぞれ大面積のセンシング領域を形成し、端部には接続部２２（図１を参照）を集中的に形成させ、図５に示すような上記受信機７との電気的な接続に役立つ。例えば、図１および図３に示すように、主要センシング部位（おむつにとって、人体の排尿器官に対応する部位を指す）には取り囲むように複数の第１の大面積の検知領域Ａ１および１つの第２の大面積のセンシング領域Ａ２が集中してもよく、その中に円形の第５の大面積のセンシング領域Ａ５が囲まれ、第１および第２の大面積のセンシング領域Ａ１、Ａ２の詳しい形状はいずれも互いに間隔を置いて交互の細長い突出歯状であり、第５の大面積のセンシング領域Ａ５は、円形と複数の頂点を持つ星の組み合わせであり、さらに別の主要センシング部位（おむつにとって、人体の排便器官に対応する部位を指す）に互いに間隔を置いて交互の２つの渦により第４の大面積のセンシング領域Ａ４を構成してもよく、また、上記２つの主要センシング領域の間に１つの第３の大面積のセンシング領域Ａ３を形成してもよい。
【０１０６】
そのため、本発明は複数の大面積のセンシング領域（第１〜第５の大面積の検知領域Ａ１〜Ａ５）を介し、各領域の導通によりそれぞれ警告を発し、さらに使用者または通知される人に湿潤範囲または湿潤程度を明瞭に知らせることができる。
【０１０７】
〔実施例２〕
図６に示されたものは本発明の湿度検出部ＳＴ１および該モジュールＴ１を有する湿度センサ１００の実施例２であり、実施例２は上記第１の実施例とほぼ同じであり、差異は全体的形状が第１の実施例の垂直バー状から実施例２のＬ形の曲がり状に変化したことだけである。その他の構造、例えば、湿度検出部Ｓは、いずれも実施例１と同じである。
【０１０８】
〔実施例３〕
図７に示されたものは本発明の湿度検出部ＳＴ２および該モジュールＴ２を有する湿度センサ１００の第３の実施例であり、第３の実施例は上記第１または第２の実施例とほぼ同じであり、差異は保護層３と電気化学媒体４の構造が多少異なることであり、以下に、１つの湿度検出部ＳＴ２を例として詳しく説明する。
【０１０９】
カーボン接着部３ｂはそれぞれ上記２つの導電部２１を覆う２つのカーボン接着部３２を有し、２つのカーボン接着部３２の間に上記が形成され、２つの導電部２１を２つのカーボン接着部３２を隔てて互いに分離させ、カーボン接着部３ｂとともに接着層５が設けられている。この場合の吸湿穴２１１は外部に囲まれるため、電気化学媒体４は内部に充填されるしかない。
【０１１０】
説明すべきことは、カーボン接着層３ｂは導電性も有し、カーボン接着部３２は導電部２１を覆い、第３の実施例の導電順序をカーボン接着部３ｂから銀導電性接着層２の順にするため、電気化学媒体４が吸湿する場合、２つの導電部２１を２つのカーボン接着部３２を介して導通させることができる。言い換えれば、カーボン接着層３ｂは同時に保護および導電の効果を有し、銀導電性接着層２の主要機能は、第３の実施例において信号を強化することである。
【０１１１】
電気化学媒体４は互いに接続された充填部４１および跨部４２を含み、充填部４１は吸湿穴Ｓ内に充填され２つのカーボン接着層３２の一側に隣接し（例えば、図７に示すカーボン接着部３２の左側および右側）、跨部４２は接着層５とカーボン接着層３ｂの間に張り出して２つのカーボン接着部３２に跨接され、２つのカーボン接着部３２の他側（図７に示すカーボン接着部３２の頂側）に隣接する。その他の構造はいずれも実施例１と同じである。
【０１１２】
〔実施例４〕
図８に示すように、湿度センサは、基材を含み、絶縁体基材を含み、基材には被覆導線および湿度検出部Ｓがあり、湿度検出部Ｓは少なくとも１つであり、各湿度検出部Ｓは少なくとも２つの電極を有し、各電極はそれぞれの被覆導線に接続され、電極の間には、乾燥の場合に絶縁され、湿潤の場合に導電する電気化学媒体がある。被覆導線は導電性接着剤（例えば、銀導電性接着剤、カーボン導電性接着剤）または生化学的な印刷用インクなどを使用し印刷または塗布の方式で基材に設けられた導線である。
【０１１３】
被覆導線により形成された図形は少なくとも１つの膨大領域を有し、膨大領域は１つまたは複数の湿度検出部Ｓを有する。湿度検出部Ｓは膨大領域において基材の長手方向に沿って間隔を置いて設置され、または基材の幅方向に沿って間隔を置いて設置され、または長手方向に沿って間隔を置いて設置された湿度検出部Ｓもあり、幅方向に沿って間隔を置いて設置された湿度検出部Ｓもある。図８に示すように、２つの円形の膨大部を有し、第１の膨大部は前にあり、第２の膨大部は後にある。第１の膨大部の直径は第２の膨大部より大きく、第１の膨大部には幅方向に沿って間隔を置いて分布された湿度検出部Ｓがあり、第２の膨大部には長手方向に沿って間隔を置いて分布された湿度検出部Ｓがある。
【０１１４】
膨大領域は基材において対応する膨大部がある。または、基材は均一幅のシートであり、被覆導線により形成された図形のみに膨大領域がある。膨大領域の中心には湿度検出部Ｓが設けられている。膨大領域を設ける役割は、液体集中領域の湿度範囲に対する検出を向上させることである。実施例４は実施例１に比べて、被覆導線が形状および数がいずれも簡略化された模様層（部材符号を図示せず）に設計されているため、コストを削減する効果を有するが、依然として基本的な湿度センシングを有する。
膨大部以外の領域において、湿度検出部Ｓは基材の長手方向に沿って分布される。
【０１１５】
各導線は基材に平行である平行部を有する。平行部の一端は信号端子である。信号端子を介して電流が流れ込む。１番目の被覆導線から最後の被覆導線は自然数で番号付けられ、隣接する奇数番号の導線の間には湿度検出部Ｓがあり、または、隣接する偶数番号の導線の間には湿度検出部Ｓがある。このように、基材面積に対する利用率が最も高く、各１本の導線を効果的に利用され、最も多くの湿度検出部Ｓを取得し、湿度検出範囲を広げる。
被覆導線の形状および数以外に、その他の構造はいずれも実施例１〜３のうち１つと同じである。
【０１１６】
〔実施例５〕
図９に示すように、本実施例の湿度センサと実施例４との区別は、被覆導線により形成された２つの膨大部はいずれも楕円形を呈し、膨大部の長軸は基材の長手方向に沿うことである。第１の膨大部は複数の長手方向に沿って間隔を置いて配置された湿度検出部Ｓを有する。第２の膨大部は複数の長手方向に沿って間隔を置いて配置された湿度検出部Ｓを有する。
【０１１７】
膨大部を楕円形に設置し、被覆導線の図形の幅を縮小し、実施例４に比べてさらに紙材を節約する。膨大部の形状以外に、その他の構造はいずれも実施例４と同じである。
【０１１８】
各１本の導線は基材に平行である平行部を有する。平行部の一端は信号端子である。信号端子を介して電流が流れ込む。最初の１つの被覆導線から最後の１つの被覆導線まで自然数で番号付けされ、隣接する奇数番号の導線の間には湿度検出部Ｓがあり、または、隣接する偶数番号の導線の間には湿度検出部Ｓがある。このように、基材の面積に対する利用率が最も高く、各１本の導線を効果的に利用し、最も多くの湿度検出部Ｓを取得し、湿度検出範囲を広げる。
【０１１９】
実施例の差異は、被覆導線が形状および数がいずれも簡略化された模様層（部材符号を図示せず）に設計されたことのみであり、コストを削減する効果を有するが、依然として基本的な湿度センシングを有する。
【０１２０】
〔実施例６〕
図１２に示すように、湿度センサは、絶縁体基材を含み、基材には被覆導線および湿度検出部Ｓがあり、湿度検出部Ｓは複数あり、各湿度検出部Ｓは少なくとも２つの電極を有し、各電極はそれぞれの被覆導線に接続され、電極の間には、乾燥の場合に絶縁され、湿潤の場合に導電する電気化学媒体がある。
【０１２１】
各電極は導線に接続された極板を含み、電気化学媒体は２つの極板の間に設けられ、極板は導電接着剤被覆層（例えば、スクリーン印刷のカーボン接着層および銀接着層など）である。湿度検出部Ｓの２つの極板は対向する。極板に沿って櫛歯が配置され、隣接する櫛歯の間は歯溝であり、２つの電極の櫛歯は対向する。湿度検出部Ｓにおいて、そのうち１つの電極の櫛歯は別の電極の歯溝内に挿入され、隣接する櫛歯の間の部位は歯溝であり、２つの電極の間には隙間があり、電気化学媒体は電極の間の隙間に充填される。櫛歯は電極のセンシング面積を大きくし、２つの電極における１対の櫛歯の間の電気化学媒体が湿潤されれば、電気信号を出力することができ、湿度センシングの感度を向上させる。被覆導線の一部を極板とし、または、極板と被覆導線が部分的に重なり、または、極板は被覆導線の末端に位置し、または極板は被覆導線の末端に接続される。
【０１２２】
２つの電極は同一層に位置する。電気化学媒体は部分的にまたは完全に電極を覆う。製造する場合、電気化学媒体が絶縁状態を呈するように、電気化学媒体の溶液を湿度検出部Ｓに滴下し、乾燥させる。
【０１２３】
基材は均一幅のシート状の吸湿性紙であり、湿度検出部Ｓは基材の長手方向に沿って間隔を置いて分布される。
【０１２４】
基材は検出部および信号接続部を含み、湿度検出部Ｓは検出端に設けられ、信号入力端子は信号接続部に設けられ、検出部と信号接続部は交角をなす。検出部は信号接続部と直交する。基材には少なくとも１つの膨大部があり、膨大部は１つまたは複数の湿度検出部Ｓを有する。
【０１２５】
基材には位置決め穴が設けられ、位置決め穴は被覆導線、湿度検出部Ｓとずれている。使用する場合、湿度センサは湿度センサに電流を入力可能なコネクタに接続されなければならず、位置決め穴はコネクタにマッチングして湿度センサとコネクタの間の正しい位置を決定するのに用いられる。
【０１２６】
基材の正面には被覆導線が設けられ、基材の背面には模様が印刷されている。模様は水に会うと発色する材料で印刷される。基材が液体を吸収した後、模様が現れ、外観が美しく指示の役割を果たす。
【０１２７】
被覆導線は基材の長手方向に沿って延在する。最外側の２本の導線はそれぞれ基材に平行である直線部分である。各１本の導線は基材に平行である平行部を有する。平行部の一端は信号端子である。信号端子を介して電流が流れ込む。最初の１つの被覆導線から最後の１つの被覆導線まで自然数で番号付けられ、隣接する奇数番号の導線の間には湿度検出部Ｓがあり、または、隣接する偶数番号の導線の間には湿度検出部Ｓがある。このように、基材の面積に対する利用率は最も高く、各導線を効果的に利用し、最も多くの湿度検出部Ｓを取得し、湿度検出範囲を広げる。
【０１２８】
湿度センサは接着層を有する。接着層は物質をいずれの湿度を検知する必要のある箇所に貼り付けまたは付着させることができ、例えば、接着層は粘着ラベル層である。被覆導線は接着層と基材との間に位置する。接着層は接着の役割を果たすだけでなく、被覆導線と電気化学媒体を接着層と基材との間に密封させる。使用する場合、液体は基材を通過しなければ湿度検出部Ｓに到達して電気化学媒体を湿潤させることができないため、液体の流動性のため基材に吸収されず直接湿度検出部Ｓに到達して電極の不適切な検知および液体量の不適切な判断を発生させることを避ける。電気化学媒体は電極より高く、接着層は電気化学媒体および電極を覆う。
【０１２９】
接着層には離型シート本体層が分離可能に貼り付けられている。離型シート本体層は樹脂フィルムである。離型シート本体層は基材を完全に被覆し、離型シート層と基材の間には自由分離部があり、接着層は基材の自由分離部以外の領域を覆う。自由分離部は離型シート本体層を基材から分離されやすくする。
【０１３０】
また、上記実施例におけるカーボン接着層３ｂは銀導電性接着層２を保護する作用を有するため、銀導電性接着層２を保護する保護層３（図２および図７を参照）として用いることができる。さらに、実施例１〜６の湿度センサ１００、１００ａは複数設置され互いに直列に接続され、ベルト供給型に設計されるとともに束状に巻き取られることが好ましく、また、隣接するいずれの２つの湿度センサ１００、１００ａの間の接続部は剥離可能な設計であるため、使用しようとする場合に一つ一つの湿度センサ１００、１００ａを剥離するのに有利である。
【０１３１】
図５に示すように、本発明の湿度センサ１００、１００ａの上記接続部２２と上記受信機７の間の電気的な接続方式は様々であってもよく、本発明はそれを限定せず、以下に、そのうちの一例を挙げて説明する。
【０１３２】
図１０および図１１とともに図５に示すように、接続部２２の一面には複数の導線接続点２１１が配置され、これらの導線接続点２１１は銀導電性接着層２に電気的に接続される。受信機７の内部には電気的接続構造７１が設置され、湿度センサ１００、１００ａは接続部２２により受信機７の電気的接続構造７１に電気的に接続される。
【０１３３】
電気的接続構造７１は、互いに狭装された第１の構造部材７１１および第２の構造部材７１２を含む。第１の構造部材７１１には複数の導線接続端子７１３および複数の第１の磁性吸着部材７１４が配置され、第２の構造部材７１２には複数の第２の磁性吸着部材７１５が配置されている。ここで、各導線接続端子７１３は各導線接続点２２１に対応し、各第１の磁性吸着部材７１４は第２の磁性吸着部材７１５に対応する。従って、第１の構造部材７１１および第２の構造部材７１２は第１の磁性吸着部材７１４と第２の磁性吸着部材７１５の互いの磁性吸着により相対的に狭装され、接続部２２は第１の構造部材７１１および第２の構造部材７１２の間に挟置され、各導線接続端子７１３を各導線接続点２２１に対応するように導線接続させ互いに電気的に導通させる。
【０１３４】
第１の構造部材７１１と第２の構造部材７１２の間は互いに狭装される位置定め方式であり、図示するような磁性吸着により位置定めする以外に、当然ながら、その他の例えば係合または緊合などの方式により位置定めすることもでき、本発明はそれに対し限定しない。
【０１３５】
好ましくは、第１の構造部材７１１または第２の構造部材７１２の狭装面に切り込み７１６を開設してもよく、接続部２２は切り込み７１６内に嵌め込まれ、第１の構造部材７１１と第２の構造部材７１２が相対的に狭装され接続部２２による干渉を受けることがない。さらに、切り込み７１６内にはさらにバッフル７１７が突設されてもよく、接続部２２にはバッフル７１７に対応して嵌接された穴体２２２が開設され、切り込み７１６内に嵌め込まれた接続部２２がバッフル７１７に止められるようにし、不適切な引き出され、不適切な引き出しにより変位が発生することがない。
【０１３６】
湿度検出部Ｓは複数あり、各湿度検出部Ｓは導通する場合に導通信号を出力し、複数の湿度検出部Ｓは導通される場合に累積的な導通信号を出力する。例えば、導通信号はブザー音であり、１つの湿度検出部Ｓのみ導通される場合、単位時間内に１回のブザー音を出力する。２つの湿度検出部Ｓが導通される場合、単位時間内に２回のブザー音を出力し、Ｎ個の湿度検出部Ｓが導通される場合、単位時間内にＮ回のブザー音を出力する。または、１つの湿度検出部Ｓが導通される場合、１単位強度のブザー音を出力し、Ｎ個の湿度検出部が導通される場合、Ｎ＊単位強度のブザー音を出力する。導通信号は光信号であってもよく、端末に伝送される警告信号などであってもよい。湿度検出部Ｓの導通数は液体量および湿度拡散範囲を表す。
【０１３７】
各被覆導線は少なくとも１つの湿度検出部Ｓの電極に接続される。複数の湿度検出部Ｓが同一の被覆導線に接続された場合、液体で湿潤されていない湿度検出部Ｓの電気化学媒体は絶縁体であり、カレント被覆導線のみに電流が流れる場合、液体で湿潤されていない湿度検出部Ｓの別の電極に接続された導線はカレント被覆導線と回路を形成することがないため、１本の被覆導線に複数の湿度検出部Ｓを設けても信号を干渉することなく、さらに基材の面積を節約することもできる。
【０１３８】
本発明の明細書に言及された全ての特許および出版物はいずれもこれらが当該分野の開示された技術であることを表示し、本発明で使用することができる。ここに援用された全ての特許および出版物は同じように引用文献に記載され、各出版物を詳しく単独に参照し引用することと同じである。ここに記載の本発明はいずれか１つの要素または複数の要素が欠け、１つの制限または複数の制限がある場合に実現し、ここでこのような制限に対する別途の説明はない。例えば、ここで、各実例における用語「含む」、「実際に・・・で構成される」および「・・・で構成される」は２つのうち１つの別の２つの用語で代替することができる。ここで採用される用語および表示方式は説明方式であり、それに制限されず、ここでこの明細書に記載のこれらの用語および解釈はいずれの等価の特徴を除外すると説明しようとする如何なる意図もないが、本発明および特許請求の範囲内でいかなる適切な変更または補正を行うことができることを理解することができる。本発明に記載の実施例はいずれも好ましい実施例および特徴であり、当業者であれば、本発明に記載の本質に基づいて補正および変更を行うことができ、これらの補正および変更も本発明の範囲および独立請求項並びに従属請求項により制限される範囲内に属することを理解することができる。
【符号の説明】
【０１３９】
１００、１００ａ  湿度センサ、
１  基材、
２  銀導電性接着層、
２１  導電部、
２１１  吸湿穴、
２２  接続部、
２２１  導線接続点、
２２２  穴体、
３  保護層、
３ｂ  カーボン接着層、
３１  第２の切り欠き、
３２  カーボン接着部、
４  電気化学媒体、
４１  充填部、
４２  跨部、
５  接着層、
６  離型シート本体層、
７  受信機、
７１  電気的接続構造、
７１１  第１の構造部材、
７２１  第２の構造部材、
７１３  導線接続端子、
７１４  第１の磁性吸着部材、
７１５  第２の磁性吸着部材、
７１６  切り込み、
７１７  バッフル、
Ａ１〜Ａ５  第１〜第５の大面積シング領域、
Ｓ  湿度検出部Ｓ。
【図１】
2019184584.tif 000003
【図２】
2019184584.tif 000004
【図３】
2019184584.tif 000005
【図４】
2019184584.tif 000006
【図５】
2019184584.tif 000007
【図６】
2019184584.tif 000008
【図７】
2019184584.tif 000009
【図８】
2019184584.tif 000010
【図９】
2019184584.tif 000011
【図１０】
2019184584.tif 000012
【図１１】
2019184584.tif 000013
【図１２】
2019184584.tif 000014
【図１３】
2019184584.tif 000015
【図１４】
2019184584.tif 000016